(57)【特許請求の範囲】
【請求項１】
前後の胴部帯状体（１，２）の長手方向端部が連結具（３，４）で互いに連結されてループ状とされ、前記連結具（３，４）にそれぞれ連結帯状体（５，６）の一端が連結され、該連結帯状体（５，６）の他端に引紐連結リング（７，８）が設けられ、
前記一方の連結帯状体（５）の一方の引紐連結リング（７）側に、前記両連結帯状体（５，６）を離接可能に接続する接続環（９）が設けられ、接続環（９）の内面形状が対向寸法（Ｌ１，Ｌ２）に長短を有する形状とされ、長い対向寸法（Ｌ２）の部分で他方の引紐連結リング（８）が挿通可能とされ、短い対向寸法（Ｌ１）の部分で他方の連結帯状体（６）が挿通可能とされると共に他方の引紐連結リング（８）を抜け止めするようにしたペット用胴輪において、
接続環（９）の内面の長い対向寸法（Ｌ２）の部分の中途部に互いに対向するように内方突出した係止凸部（１９，２０）が設けられ、一対の係止凸部（１９，２０）間の離間幅（Ｌ３）が他方の連結帯状体（６）の幅（Ｗ）よりも小に設定されていることを特徴とするペット用胴輪。
【請求項２】
接続環（９）の長い対向寸法（Ｌ２）の両端に向かうに従って徐々に下降するように、前記接続環（９）は長い対向寸法（Ｌ２）の中途部の係止凸部（１９，２０）突出部分で山形状に屈曲されていることを特徴とする請求項１に記載のペット用胴輪。
【請求項３】
前記接続環（９）の表面に胴部帯状体（１，２）の前後を示す表示（２３）が施されていることを特徴とする１又は２に記載のペット用胴輪。
【請求項４】
前記接続環（９）は合成樹脂により成形され、接続環（９）の外面形状がハート型に形成されていることを特徴とする１〜３のいずれかに記載のペット用胴輪。
【発明の詳細な説明】
【技術分野】
【０００１】
本発明は、犬等のペットに使用されるペット用胴輪に関するものである。
【背景技術】
【０００２】
ペット用胴輪には前後の胴部帯状体の長手方向端部が連結具で互いに連結されてループ状とされ、前記連結具にそれぞれ連結帯状体の一端が連結され、該連結帯状体の他端に引紐連結リングが設けられ、前記連結帯状体の一方の引紐連結リング側に、前記両連結帯状体を離接可能に接続する接続環が設けられ、該接続環の内面形状が対向寸法に長短を有する四辺形状とされ、長い対向寸法の部分で他方の引紐連結リングが挿通可能とされ、短い対向寸法の部分で他方の引紐連結リングを抜け止めするようにしたものがある（特許文献１）。
【先行技術文献】
【特許文献】
【０００３】
【特許文献１】特開２００１−６９８６９号公報
【発明の概要】
【発明が解決しようとする課題】
【０００４】
この種の従来のペット用胴輪では、接続環の内面形状が単に対向寸法に長短を有する四辺形状とされていたので、ペット用胴輪の使用中等において接続環に対して挿通した他方の引紐連結リング及び他方の連結帯状体の引紐連結リング側端部が長い対向寸法内で大きく移動するおそれがあり、これにより引紐のペット用胴輪への連結部分が大きくガタ付いたりするという問題があった。
【０００５】
本発明は上記問題点に鑑み、ペット用胴輪の使用中等において接続環に対して他方の引紐連結リング及び他方の連結帯状体のリング側端部が長い対向寸法内で移動するのを防止できて、引紐のペット用胴輪への連結部分が大きくガタ付いたりするのを防ぐようにしたペット用胴輪を提供することを目的とする。
【課題を解決するための手段】
【０００６】
この技術的課題を解決する本発明の技術的手段は、前後の胴部帯状体の長手方向端部が連結具で互いに連結されてループ状とされ、前記連結具にそれぞれ連結帯状体の一端が連結され、該連結帯状体の他端に引紐連結リングが設けられ、
前記一方の連結帯状体の一方の引紐連結リング側に、前記両連結帯状体を離接可能に接続する接続環が設けられ、接続環の内面形状が対向寸法に長短を有する四辺形状とされ、長い対向寸法の部分で他方の連結帯状体が挿通可能とされると共に他方の引紐連結リングを抜け止めするようにしたペット用胴輪において、
接続環の内面の長い対向寸法の部分の中途部に互いに対向するように内方突出した係止凸部が設けられ、一対の係止凸部間の離間幅が他方の連結帯状体の幅よりも小に設定されている点にある。
【０００７】
また、本発明の他の技術的手段は、接続環の長い対向寸法の両端に向かうに従って徐々に下降するように、前記接続環は長い対向寸法の部分の中途部の係止凸部突出部分で山形状に屈曲されている点にある。
また、本発明の他の技術的手段は、前記接続環の表面に胴部帯状体の前後を示す表示が施されている点にある。
【０００８】
また、本発明の他の技術的手段は、前記接続環は合成樹脂により成形され、接続環の外面形状がハート型に形成されている点にある。
【発明の効果】
【０００９】
本発明によれば、接続環の内面の長い対向寸法の中途部に互いに対向するように内方突出した係止凸部が設けられているので、ペット用胴輪の使用中等において接続環に対して他方の引紐連結リング及び他方の連結帯状体の引紐連結リング側の端部が長い対向寸法内で大きく移動してガタ付くのを防止でき、これにより引紐のペット用胴輪への連結部分が大きくガタ付くのを防ぐことができる。また、内方突出した係止凸部によって、接続環に対して他方の連結帯状体の引紐連結リング側の端部を廻り止めすることができて、ペット
用胴輪の使用中等において接続環に対して他方の引紐連結リング側が不測に回転して接続環から抜脱するのを防止できる。
【図面の簡単な説明】
【００１０】
【図１】本発明の一実施形態を示す接続環の正面図である。
【図２】同図１のＡ−Ａ線断面図である。
【図３】同ペット用胴輪の全体平面図である。
【図４】同ペット用胴輪を犬に装着した状態の斜視図である。
【図５】同引紐連結リンクの正面図である。
【図６】同引紐連結リンクの側面図である。
【図７】同連結具の正面図である。
【図８】同連結具の側面図である。
【図９】同接続環に他方の引き紐連結リング及び連結帯状態を連結する動作説明図である。
【図１０】同引紐連結リングに引紐のフックを連結した状態の正面図である。
【発明を実施するための形態】
【００１１】
以下、本発明の実施形態を図面に基づいて説明する。
図３及び図４において、ペット用胴輪は、前胴部帯状体１及び後胴部帯状体２と、該胴部帯状体１，２の長手方向端部相互を連結してループ状とする連結具３，４と、前記連結具３，４にそれぞれ一端を連結する連結帯状体５，６と、一方の連結帯状体５の他端に共に設けた引紐連結リング７及び前記連結帯状体５，６を離接可能に接続する接続環９と、他方の連結帯状体６の他端に連結した引紐連結リング８と、前後の胴部帯状体１，２を長手方向中間部で連結した中間部材１０とにより構成されている。
【００１２】
前記胴部帯状体１，２、連結帯状体５，６及び中間部材１０は、厚手の網紐等により構成されている。胴部帯状体１，２の中途部にそれぞれ長さ調整具１３が取り付けられている。この長さ調整具１３は、中央連結部１３ａを有する日の字型に形成されている。
前記連結具３，４は、図７及び図８に示すように、同形状でかつ同寸法であり、金属板製で多角形状を呈し、胴部帯状体１，２を連結するくの字型の第１長孔１５と、連結帯状体５，６を連結する長方形状の第２長孔１６が設けられている。
【００１３】
他方の連結具４には、第１長孔１５に胴部帯状体１，２の一端部を挿通して巻掛けて固着連結してあり、前記第２長孔１６に連結帯状体６の一端部を挿通して巻掛けて固着連結してある。また、一方の連結具３には、第１長孔１５に胴部帯状体１，２の他端側を挿通して折り返してある。折り返した胴部帯状体１，２の他端部は長さ調整具１３の中央連結部１３ａに巻掛けて固着連結してある。胴部帯状体１，２の中途部は長さ調整具１３の中央連結部１３ａに引っ掛けて長さ調整具１３に挿通されており、長さ調整具１３を胴部帯状体１，２の中途部に対して胴部帯状体１，２の長手方向に移動させることにより、胴部帯状体１，２をそれぞれ長さ調整できるように構成されている。
【００１４】
なお、図１０に示すように、連結帯状体５，６は、連結具３，４と、引紐連結リング７，８及び接続環９に巻掛けた部分との間が３枚重ねとなっており、この３枚重ね部分が重合固着されている。従って、この連結帯状体５，６の厚さが、相当に厚くなり、非常に強靱となっており、連結強度が大きくかつ引紐連結リング７と接続環９の連結状態を安定良く確保できる。
【００１５】
図５及び図６に示すように、引紐連結リング７，８は、金属棒材からなるＤ型で同寸法とされている。引紐連結リング７，８の長手方向の中途部がくの字状に屈曲されている。
図１及び図２に示すように、接続環９は合成樹脂により一体成形され、接続環９の外面形状がハート型に形成されている。接続環９は長方形状の挿通孔１７を有しており、接続環９の内面形状が対向寸法Ｌ１，Ｌ２に長短を有する長方形状とされている。長い対向寸法Ｌ２が引紐連結リング７，８の互いに平行な辺（連結帯状体５，６の幅方向の対向辺）の外側寸法Ｄよりも長くされ、短い対向寸法Ｌ１が引紐連結リング７，８の対向内側寸法ｄと同じか又は連結帯状体５，６の幅Ｗと同じ寸法になっている。
【００１６】
従って、接続環９には、長い対向寸法Ｌ２の部分で引紐連結リング７を挿通可能であり
、さらに接続環９に引紐連結リング８を挿通したあと、該引紐連結リング８を９０度回して接続環９に対して引っ張ることで、引紐連結リング８と接続環９を相互に係止連結状態とすることができる。つまり、長い対向寸法Ｌ２の部分で他方の引紐連結リング８が挿通可能とされ、短い対向寸法ＬＩの部分で他方の引紐連結リング８を抜け止めするようになっている。
【００１７】
而して、図１０に示すように、他方の引紐連結リング８及び連結帯状体６の引紐連結リング８側の端部が、接続環９の挿通孔１７に挿通され、引紐連結リング７，８に引紐の連結フック２５を引っ掛けることにより引紐連結リング７，８同士が連結されると共に、連結フック２５、引紐連結リング７，８及び接続環９を介してペット用胴輪が引紐に連結されるようになっている。
【００１８】
図１及び図２に示すように、接続環９の内面の長い対向寸法Ｌ２の部分の中途部に互いに対向するように内方突出した係止凸部１９，２０が設けられている。一対の係止凸部１９，２０間の離間幅Ｌ３は連結帯状体５，６の幅Ｗよりも小に設定されている。
接続環９の長い対向寸法Ｌ２の両端に向かうに従って徐々に下降するように、前記接続環９は長い対向寸法Ｌ２部分の中途部で山形状に屈曲されている。従って、接続環９に挿通された連結帯状体６の引紐連結リング８側の端部は、接続環９の連結帯状体５側端部とは反対側の他端部に移動した状態になるように構成されている。
【００１９】
前記接続環９の表面に胴部帯状体１，２の前後を示す表示２３が施されている。この表示２３はロゴを凹刻印してなるものである。表示（ロゴ）２３の向きの前側に前胴部帯状体１が位置し、表示２３の向きの後側に後胴部帯状体２が位置するようになっている。
前記中間部材１０は、胴部帯状体１，２と同材料により帯状に構成され、その長手方向両端部が折り返されて固着され、前記胴部帯状体２を挿通させることのできる連結ループ部２４，２４が形成されている。
【００２０】
上記実施形態によれば、ペット用胴輪を犬の胴に装着する場合、先ず犬の胴の大きさに応じて、長さ調整具１３により胴部帯状体２の長さを適正に調整する。このようにして、図３に示す状態とした後、ペット用胴輪を反転させて前記接続環９が引紐連結リング８の上側とし、犬の前足をペット用胴輪の中間部材１０の両側に入れ、両端の連結帯状体５，６をそれぞれ手に持って、他方の引紐連結リング８を接続環９に対して約９０度回して、図９（ａ）に示す如く接続環９に挿通した後、引紐連結リング８を図９（ｂ）（ｃ）に示す如く回転して元に戻して連結帯状体５，６を互いに反対方向に引っ張ることで、引紐連結リング８が接続環９に引っ掛かり、図４に示す連結状態になり、犬の胴にフィットする。
【００２１】
このような連結状態になると、図１０に示すように、引紐連結リング７，８に引紐の連結フック２５を引っ掛けて連結することができる。そして、引紐を引紐連結リング７，８から離しても、引紐連結リング８と接続環９により両連結帯状体５，６がしっかりと連結されているので、ペット用胴輪を犬に装着したままの状態で、犬を自由に走らせても、ペット用胴輪が犬から自然に外れて落ちることはない。
【００２２】
上記実施の形態では、接続環９の内面の長い対向寸法Ｌ２の中途部に互いに対向するように内方突出した係止凸部１９，２０が設けられているので、ペット用胴輪の使用中等において接続環９に対して他方の引紐連結リング８及び他方の連結帯状体６の引紐連結リング８側の端部が挿通孔１７の長手方向に大きく移動してガタ付くのを防止でき、これにより引紐のペット用胴輪への連結部分が大きくガタ付いたりすることがなくなる。また、内方突出した係止凸部１９，２０によって、接続環９に対して他方の連結帯状体６の引紐連結リング８側の端部を廻り止めすることができて、ペット用胴輪の使用中等において接続環９に対して他方の引紐連結リング８が不測に回転して接続環９から抜脱するのを防止できる。
【００２３】
また、接続環９の長い対向寸法Ｌ２の部分の両端に向かうに従って徐々に下降するように、前記接続環９は長い対向寸法Ｌ２の部分の中途部で山形状に屈曲されているので、接続環９に挿通された連結帯状体６の引紐連結リング８側の端部は、接続環９の連結帯状体５側端部とは反対側の端部に移動した状態に保持され、これによっても、連結帯状体６の
引紐連結リング８側の端部が挿通孔１７の長手方向に大きく移動してガタ付くのを防止できる。
【００２４】
また、接続環９の表面に胴部帯状体の前後を示す表示２３が施されているので、前胴部帯状体１と後胴部帯状体２とを間違えるおそれがなくなり、ペット用胴輪を犬の胴に装着する際に、ペット用胴輪の前後を逆にして犬の胴に装着するのを防ぐことができる。
なお、前記実施の形態では、接続環９の内面形状が対向寸法Ｌ１，Ｌ２に長短を有する長方形状とされているが、これに代え、接続環９の内面形状が対向寸法Ｌ１，Ｌ２に長短を有する四辺形状、楕円形状、長孔形状その他であってもよい。
【００２５】
また、接続環９の外面形状はハート型でなくてもよく、円形状、楕円形状その他の形状であってもよい。
【符号の説明】
【００２６】
１    前胴部帯状体
２    後胴部帯状体
３    連結具
４    連結具
５    連結帯状体
６    連結帯状体
８    引紐連結リング
７    引紐連結リング
９    接続環
１０    中間部材
１９    係止凸部
２０    係止凸部
２３    表示
Ｌ１    短い対向寸法
Ｌ２    長い対向寸法
【図１】
0005557597.tif 000002
【図２】
0005557597.tif 000003
【図３】
0005557597.tif 000004
【図４】
0005557597.tif 000005
【図５】
0005557597.tif 000006
【図６】
0005557597.tif 000007
【図７】
0005557597.tif 000008
【図８】
0005557597.tif 000009
【図９】
0005557597.tif 000010
【図１０】
0005557597.tif 000011